(57)【要約】【課題】簡易な構成によって安全でしかも高い精度で、予め破砕されるとともに鉄類を除去したごみから非鉄金属類、ステンレス類、可燃物の３種に選別する選別装置を提供する。【解決手段】予め所定の大きさに破砕されるとともに鉄類が除去されたごみを非鉄金属類、ステンレス類、可燃物の３種に選別する選別装置１であって、ごみが搬入端部２１側から導入されるとともに、搬出端部２２側となるローラ２３内に磁極回転子を備え、磁極回転子の回転により搬送されてくる非鉄金属類に渦電流を発生させるベルトコンベヤ２と、ベルトコンベヤ２の搬出端部２２に対峙して設けられ、搬出端部２２の下方に向けて送風する送風機３ａ、３ｂの送風口３ａ１、３ｂ１と、搬出端部２２の下方前方に設けられた非鉄金属類回収部４と、搬出端部２２の下方略直下に設けられたステンレス類回収部５と、搬入端部２１側下方に設けられた可燃物回収部６とを備えている。【選択図】  図１
2005040707.tif 000002
【特許請求の範囲】
【請求項１】
予め所定の大きさに破砕されるとともに鉄類が除去されたごみを非鉄金属類、ステンレス類、可燃物の３種に選別する選別装置であって、
前記ごみが搬入端部側から導入されるとともに、搬出端部側となるローラ内に磁極回転子を備え、該磁極回転子の回転により搬送されてくる非鉄金属類に渦電流を発生させるベルトコンベヤと、
ベルトコンベヤの搬出端部に対峙して設けられ、当該搬出端部の下方に向けて送風する送風機の送風口と、
前記搬出端部の下方前方に設けられ、当該搬出端部において前方に放出される非鉄金属類を回収する非鉄金属類回収部と、
前記搬出端部の下方略直下に設けられ、搬出端部において落下するステンレス類を回収するステンレス類回収部と、
上記ステンレス類回収部のさらに下流側となる搬入端部側下方に設けられ、上記送風口からの送風によりステンレス類回収部との間に設けたシュートを通じて可燃物を回収する可燃物回収部とを備えたことを特徴とする選別装置。
【請求項２】
前記ステンレス類回収部の上方には、ステンレス類をベルトコンベヤの搬送面から強制的に掻き落としてステンレス類回収部に導く掻き落し板が設けられるとともに、前記非鉄金属類回収部及びステンレス類回収部の上面開口間には搬出端部から落下する可燃物を可燃物回収部に導くとともにステンレス類をステンレス類回収部に導くガイドが前記シュートよりも高い位置に設けられ、さらに、ベルトコンベヤには、磁極回転子の磁力作用で搬出端部に磁着した細かなステンレス類、並びに混入している鉄類を当該搬出端部から分離するスクレーパが設けられたことを特徴とする請求項１記載の選別装置。
【請求項３】
前記送風口は、少なくとも上下に２台設けられ、上方の送風口は前記ベルトコンベヤの搬出端部と前記ガイドとの間に向かって送風するように配置されるとともに、下方の送風口は前記ガイドの下部に設けられた仕切板の通孔を通じて当該ガイドの下方に向かって送風するように配置されたことを特徴とする請求項２記載の選別装置。
【発明の詳細な説明】
【技術分野】
【０００１】
本発明は、予め破砕されるとともに鉄類を除去したごみから非鉄金属類、ステンレス類、可燃物の３種に選別する選別装置に関するものである。
【背景技術】
【０００２】
従来、コンベヤベルトを導電性材料により構成するとともに、搬出端部側ローラの内部に交番磁界を破砕ごみに付与する磁界付与ローラを回転自在に設け、搬出端部側ローラの斜め上方位置にコロナ放電用の針状電極を設けるとともに、この針状電極とアースされた搬出端部側ローラとの間に負の高電圧を印加するための高電圧電源を設けることで、粉砕ごみから金属類と可燃物などの非金属類とに選別するとともに、アルミニウムなどの非鉄金属類を選別する選別装置が提供されている（例えば、特許文献１参照）。
【特許文献１】特開２００１−２７６６４７号公報
【発明の開示】
【発明が解決しようとする課題】
【０００３】
しかしながら、上記従来の選別装置においては、コンベヤベルトを導電性材料により構成したり、コロナ放電用の針状電極や高電圧電源などが必要であるため、装置全体が複雑で大掛りになり、運転コストの高騰を招くとともに、高電圧電源など作業上、安全性の面でも問題があった。
【０００４】
本発明は、上記問題点に鑑みてなされたもので、その目的とするところは、簡易な構成によって安全でしかも高い精度で、予め破砕されるとともに鉄類を除去したごみから非鉄金属類、ステンレス類、可燃物の３種に選別する選別装置を提供することにある。
【課題を解決するための手段】
【０００５】
上記の目的を達成するため、請求項１に係る発明の選別装置は、予め所定の大きさに破砕されるとともに鉄類が除去されたごみを非鉄金属類、ステンレス類、可燃物の３種に選別する選別装置であって、前記ごみが搬入端部側から導入されるとともに、搬出端部側となるローラ内に磁極回転子を備え、該磁極回転子の回転により搬送されてくる非鉄金属類に渦電流を発生させるベルトコンベヤと、ベルトコンベヤの搬出端部に対峙して設けられ、当該搬出端部の下方に向けて送風する送風機の送風口と、前記搬出端部の下方前方に設けられ、当該搬出端部において前方に放出される非鉄金属類を回収する非鉄金属類回収部と、前記搬出端部の下方略直下に設けられ、搬出端部において落下するステンレス類を回収するステンレス類回収部と、上記ステンレス類回収部のさらに下流側となる搬入端部側下方に設けられ、上記送風口からの送風によりステンレス類回収部との間に設けたシュートを通じて可燃物を回収する可燃物回収部とを備えたものである。
【０００６】
請求項２に係る発明の選別装置は、前記ステンレス類回収部の上方には、ステンレス類をベルトコンベヤの搬送面から強制的に掻き落としてステンレス類回収部に導く掻き落し板が設けられるとともに、前記非鉄金属類回収部及びステンレス類回収部の上面開口間には搬出端部から落下する可燃物を可燃物回収部に導くとともにステンレス類をステンレス類回収部に導くガイドが前記シュートよりも高い位置に設けられ、さらに、ベルトコンベヤには、磁極回転子の磁力作用で搬出端部に磁着した細かなステンレス類、並びに混入している鉄類を当該搬出端部から分離するスクレーパが設けられたものである。
【０００７】
請求項３に係る発明の選別装置は、前記送風口が、少なくとも上下に２台設けられ、上方の送風口は前記ベルトコンベヤの搬出端部と前記ガイドとの間に向かって送風するように配置されるとともに、下方の送風口は前記ガイドの下部に設けられた仕切板の通孔を通じて当該ガイドの下方に向かって送風するように配置されたものである。
【発明の効果】
【０００８】
本発明の選別装置によれば、このように搬出端部における渦電流作用及び磁界作用、並びに送風機による風力により、破砕するとともに鉄類が除去されたごみから非鉄金属類、ステンレス類及び可燃物の３種類を各回収部に高い精度で選別回収することができ、しかも選別装置全体の構成が簡易で作業上も安全である。
【発明を実施するための最良の形態】
【０００９】
以下、本発明の実施の形態について図面を参照して説明する。
【００１０】
図１は、本発明の選別装置の概略構成を示している。
【００１１】
この選別装置１は、投入口１１を通じてベルトコンベヤ２の搬入端部２１に投入されるごみを非鉄金属類、ステンレス類、可燃物の３種に選別するためのもので、上記ベルトコンベヤ２、上下２つの送風機３ａ、３ｂ、非鉄金属類回収部４、ステンレス類回収部５、可燃物回収部６とを備えている。
【００１２】
ベルトコンベヤ２は、一端部（図１において左端部）が搬入端部２１になされ、この搬入端部２１の上方に上記投入口１１が設けられている。このベルトコンベヤ２に投入されるごみは、予め破砕機により所定の大きさに破砕されるとともに、磁選機によって鉄類が除去され、さらに粒度選別機によって所定の粒度に選別されている。
【００１３】
また、ベルトコンベヤ２の搬出端部２２側のローラ２３内には、図示はしないが交番磁界を上記ごみに付与する磁極回転子が回転自在に設けられており、該磁極回転子の回転により搬送されてくる非鉄金属類に渦電流を発生させるようにしている。従って、非鉄金属類は、発生した渦電流の作用によりベルトコンベヤ２の搬出端部２２から当該搬出端部２２の前方に放出されることになる。
【００１４】
さらに、ベルトコンベヤ２の搬送面にはその幅方向に所定の高さを有する一条のスクレーパ２４が設けられている。このスクレーパ２４はゴム製のもので、ローラ２３に作用する磁性作用により当該ローラ２３の部位に付着する細かなステンレス類や混入している磁性物を搬送面から分離するようにしている。つまり、磁性物などが混入していると、この磁性物がローラ２３の磁界作用により当該ローラ２３の下部において搬送面上を滑るような形で滞留する場合があるが、ベルトコンベヤ２の循環移動に伴ってスクレーパ２４が定期的にローラ２３の周面を通過することによって、磁性物に作用する磁界作用を遮断するようにして該磁性物などを下方に落下させるようにしている。
【００１５】
前記非鉄金属類回収部４は、搬出端部２２の下方前方に設けられ、上述したように搬出端部２２において前方に放出される非鉄金属類を回収する。
【００１６】
前記ステンレス類回収部５は、搬出端部２２の下方略直下に設けられ、搬出端部２２において落下するステンレス類を回収する。
【００１７】
前記可燃物回収部６は、上記ステンレス類回収部５のさらに下流側となる搬入端部２１側下方に設けられ、後述する送風機３ａ、３ｂの送風作用によりステンレス類回収部５との間に下方に傾斜して設けられたシュート６１を通じて可燃物を回収する。
【００１８】
シュート６１は、例えばＭＣナイロン製のものが使用されており、このシュート６１上に落下する可燃物を滑り易くして可燃物回収部６に円滑に導くようにしている。
【００１９】
また、前記非鉄金属類回収部４及び前記ステンレス類回収部５の上面開口間も傾斜面４１に形成されている。この傾斜面４１は、上記シュート６１よりも高い位置に配置されており、後述する第２の送風機としての送風機３ｂの送風作用により可燃物を傾斜面４１側からシュート６１上に導入し易いようにしている。
【００２０】
そして、この傾斜面４１上にはガイド４２が設けられている。ガイド４２は、その上端縁が傾斜面４１の上端側に立設された仕切板４３の上端にヒンジ等により回動自在に設けられ、これにより適宜な傾斜角度に調整可能になされている。なお、ガイド４２の傾斜角度はごみの性状などに応じて、ステンレス類をステンレス類回収部５に可燃物を可燃物回収部６に好適に導くように調整すればよい。
【００２１】
さらに、前記ステンレス類回収部５の上方には、前記ベルトコンベヤ２の搬出端部２２下方に近接して掻き落し板７が設けられている。
【００２２】
掻き落し板７は、ベルトコンベヤ２の幅方向に配置されており、図２に示すようにベース板７１の上部にゴム板７２がベルトコンベヤ２の搬送面に近接して設けられている。
【００２３】
ベース板７１は、装置本体の側壁に一端が連結された片持ち状態の支持棒７３にベルトコンベヤ２の幅方向に移動自在に設けられている。
【００２４】
ゴム板７２は、上記ベース板７１の幅方向への移動により当該ベース板７１とともに幅方向に移動自在に設けられ、ベルトコンベヤ２の搬送面との間に前記スクレーパ２４が通過できるだけの間隔を隔てて設けられている。
【００２５】
このように構成された掻き落し板７は、ローラ２３の回転軌跡に沿って当該ローラ２３の下方に移送されるステンレス類を搬送面から除去するためのもので、磁界の影響が切れた時にステンレス類をこの掻き落し板７に当接させて下方のステンレス類回収部５に落下させるようにしている。つまり、前述した磁選機では回収できないステンレス類であってもローラ２３に作用する強い磁界の影響で当該ステンレス類がローラ２３に引き寄せられ、この結果ステンレス類は図１において２点鎖線で示すように搬送面を介してローラ２３に巻きつくように挙動することになり、これを掻き落し板７で除去して下方に落下させるようにしている。
【００２６】
なお、図２に示す符号２ａは、図１では図示していないが搬送するごみが両側に落ちないようにベルトコンベヤ２の搬送面両側に搬送方向に沿って設けたヒレである。
【００２７】
前記送風機３ａは、前記搬出端部２２と対峙する前方から当該搬出端部２２と前記ガイド４２との間に向かって送風するようにその送風口３ａ１が設けられており、その送風作用によって搬出端部２２から下方に落下する可燃物を前記シュート６１上に落下させるようにしている。なお、送風機３ａの風量については、搬出端部２２から前方に放出されて非鉄金属類回収部４に落下するアルミ等の非鉄金属類の当該落下に影響を与えないように非鉄金属類回収部４の位置や大きさなどの全体構成を考慮して設定されている。
【００２８】
送風機３ｂは、搬出端部２２の前方から前記仕切板４３に向かって送風するようにその送風口３ｂ１が仕切板４３と対峙して設けられている。ところで、仕切板４３は、送風機３ｂから送風される風がこの仕切板４３を通過できるように、例えば図３に示すように複数の通孔４３ａが形成されたパンチングメタルが用いられている。従って、仕切板４３を通過した風はガイド４２と傾斜面４１との間を通ってステンレス類回収部５上を経て可燃物回収部６側に導入され、この作用でステンレス類回収部５への可燃物の落下をさらに防止して当該可燃物を可燃物回収部６に精度良く回収するようにしている。
【００２９】
さらに、前記ベルトコンベヤ２の搬入端部２１側の側壁には集塵ダクト８が連結されている。この集塵ダクト８は、装置内に発生する埃などを外部に吸引して排出するためのもので、前記送風機３ａ、３ｂからの送風により発生する気流に悪影響を与えないようにその位置や吸引風量などが設定されている。
【００３０】
次に、このように構成された選別装置の動作について説明する。
【００３１】
まず、予め破砕機により所定の大きさに破砕されるとともに、磁選機によって鉄類が除去され、さらに粒度選別機によって所定の粒度に選別されたごみを投入口１１からベルトコンベヤ２の搬入端部２１上に投入し、当該ベルトコンベヤ２によって搬出端部２２まで搬送する。
【００３２】
そして、この搬出端部２２から、ごみ中のアルミ類などの非鉄金属類が非鉄金属類回収部４に、ステンレス類がステンレス類回収部５に、可燃物が可燃物回収部６にそれぞれ落下して回収される。
【００３３】
具体的には、非鉄金属類は渦電流の作用で当該搬出端部２２から前方に放出され、非鉄金属類回収部４に落下して回収される。
【００３４】
ステンレス類は強い磁界の作用で搬出端部２２のローラ２３に引き寄せられるようにして当該搬出端部２２の下方に導かれ掻き落し板７によってその搬送面から掻き落とされて下方に落下し、当該下方のステンレス類回収部５に回収される。この際、ステンレス類は重量物であり送風機３ａ、３ｂの送風による悪影響を受けることなくステンレス類回収部５に落下して回収される。
【００３５】
また、予め磁選機によって鉄類を除去してはいるものの、完全に除去できないで鉄類が混在している場合があり、この場合には鉄類が搬出端部２２の磁界の作用でステンレス類と同様な軌道を描いて当該搬出端部２２の下方に導かれ掻き落し板７によってその搬送面から掻き落とされてステンレス類回収部５に回収される。この際、鉄類は磁性が強いために搬出端部２２に磁着された状態になることがあるが、スクレーパ２４がこの搬出端部２２を通過するときに当該スクレパー２４によって搬出端部２２から鉄類を分離し下方のステンレス類回収部５に回収することができる。なお、このようにステンレス類回収部５には混在していた鉄類も回収されるものの、鉄類は磁選機によりステンレス類から簡単に除去することができる。
【００３６】
一方、可燃物は、搬出端部２２から下方に落下するものの送風機３ａ、３ｂの送風作用で前記ステンレス類回収部５の上面開口上を超えてシュート６１上に落下し、該シュート６１を滑って可燃物回収部６に回収される。この際、上方の送風機３ａの送風作用があまり及ばずに可燃物がステンレス類回収部５に向かって落下した場合でも、下方の送風機３ｂの送風作用により可燃物をシュート６１上に飛ばすことができ、これによりステンレス類回収部５への可燃物の混入を防止することができる。
【００３７】
このように搬出端部２２における渦電流作用及び磁界作用、並びに送風機３ａ、３ｂによる風力により非鉄金属類、ステンレス類及び可燃物の３種類を各回収部４、５、６に高い精度で選別回収することができる。しかも選別装置１全体の構成が簡易で作業上も安全である。
【００３８】
なお、上述した実施形態は、あくまでも本発明の好適な実施態様を示すものであって、本発明はこれに限定されることなく、その範囲内において種々設計変更可能である。
【００３９】
例えば、上下２台の送風機３ａ、３ｂにより風力選別するように説明したが、上方の送風機３ａだけであってもよいし、場合によって下方の送風機３ｂだけであってもよい。
【００４０】
また、送風機を１台として、その送風口を上下２つ又はそれ以上に分岐して設けてもよい。
【図面の簡単な説明】
【００４１】
【図１】本発明の選別装置の概略構成を示す側面図である。
【図２】掻き落し板の構成を示す正面図である。
【図３】仕切板の構成を示す正面図である。
【符号の説明】
【００４２】
１  選別装置
２  ベルトコンベヤ
２１  搬入端部
２２  搬出端部
２３  ローラ
２４  スクレーパ
３ａ、３ｂ  送風機
４  非鉄金属類回収部
４２  ガイド
４３  仕切板
５  ステンレス類回収部
６  可燃物回収部
６１  シュート
７  掻き落し板
【図１】
2005040707.tif 000003
【図２】
2005040707.tif 000004
【図３】
2005040707.tif 000005